(57)【特許請求の範囲】
【請求項１】
少なくとも大洗浄水量と小洗浄水量の洗浄水を切り替えて供給することにより汚物を洗い落す洗落し式水洗便器であって、
洗浄水を貯留するタンク、このタンク内へ洗浄水を給水する給水弁、及び、このタンクの底面に形成された排水口を開閉する排水弁を備えた洗浄水タンクと、
ボウル形状のボウル部と、
このボウル部の下方にその入口が接続され汚物を排出する排水トラップ管路と、
この排水トラップ管路の近傍で且つ上記ボウル部下方に形成された溜水部と、
上記ボウル部に上記洗浄水タンクからの洗浄水を吐水する吐水部と、
上記吐水部からの洗浄水の吐水量を制御する制御手段と、を有し、
上記制御手段は、上記洗浄水タンクからの大洗浄水量の洗浄水による便器洗浄が行われた後、上記洗浄水タンク内の洗浄水量のすべてが排出される前に上記洗浄水タンクの上記排水弁を閉じ、所定時間経過させた後に再び上記排水弁を開き、上記溜水部の溜水量がほぼ一定に保持されるように上記吐水部から上記溜水部へ洗浄水を追加し、便器洗浄のための洗浄水を上記洗浄水タンクから水洗便器に排出する時間を、上記溜水部の溜水量をほぼ一定に保持するための洗浄水を上記洗浄水タンクから水洗便器に排出する時間よりも長くすることを特徴とする洗落し式水洗便器。
【請求項２】
少なくとも大洗浄水量と小洗浄水量の洗浄水を切り替えて供給することにより汚物を洗い落す洗落し式水洗便器であって、
洗浄水を貯留するタンク、このタンク内へ洗浄水を給水する給水弁、及び、このタンクの底面に形成された排水口を開閉する排水弁を備えた洗浄水タンクと、
ボウル形状のボウル部と、
このボウル部の下方にその入口が接続され汚物を排出する排水トラップ管路と、
この排水トラップ管路の近傍で且つ上記ボウル部下方に形成された溜水部と、
上記ボウル部に上記洗浄水タンクからの洗浄水を吐水する吐水部と、
上記吐水部からの洗浄水の吐水量を制御する制御手段と、を有し、
上記制御手段は、上記洗浄水タンクからの大洗浄水量の洗浄水による便器洗浄が行われて上記洗浄水タンク内の洗浄水量のすべてが排出された後、上記洗浄水タンクの排水弁を開いた状態で上記洗浄水タンクの給水弁を開き、上記溜水部の溜水量がほぼ一定に保持されるように上記吐水部から上記溜水部へ洗浄水を追加し、上記溜水部の溜水不足を補う洗浄水の追加給水を行う時間を、上記洗浄水タンク内の洗浄水量のすべてが便器洗浄のために排出されるまでの時間よりも長くすることを特徴とする洗落し式水洗便器。
【発明の詳細な説明】
【技術分野】
【０００１】
本発明は、洗落し式水洗便器に係わり、特に、少なくとも所定の大小の２種類の洗浄水量の洗浄水を切り替えて供給することにより汚物を洗い落す洗落し式水洗便器に関する。
【背景技術】
【０００２】
従来から、サイホン作用を生じさせない大便器として、洗落し式便器が知られている（例えば、特許文献１参照）。
このように従来の洗落し式便器は、水の落差による流水作用で汚物を押し流す方式で構造がシンプルであり、かつ安価であることに加えて、サイホン作用を生じさせないため、便器洗浄に用いられる洗浄水の量が少なくて済むという利点を有する。したがって、従来から便器に要請されている洗浄水の節水のニーズにも合致したものとなっている。
【先行技術文献】
【特許文献】
【０００３】
【特許文献１】特開２０００−２３４３７４号公報
【発明の概要】
【発明が解決しようとする課題】
【０００４】
しかしながら、上述した従来の洗落し式便器においては、便器の内部構造の一部である排水ソケットや排水管の形態によっては、洗浄水量を最も多く使用し水勢の強い便器の大洗浄中に、しばしば便器の溜水部においてサイホン作用を発生させてしまうことがある。  また、従来の洗落し式便器においては、このようなサイホン作用が発生した便器の大洗浄後に溜水部の溜水に洗浄水を追加する手段を備えていないため、次回の大洗浄を行う際に溜水部の溜水が不足した状態で洗浄が行われてしまうという問題がある。さらに、このような溜水部の溜水不足が生じた状態で次回の大洗浄が行われると、この溜水の不足分だけ、次回の大洗浄中に行われる溜水部の水位上昇が遅れることになり、洗浄性能を低下させてしまうという問題がある。
【０００５】
そこで、本発明は、上述した従来技術の問題点を解決するためになされたものであり、所定の大洗浄水量の洗浄水による便器洗浄が行われた後に便器の溜水へ洗浄水を追加することにより、次回の便器洗浄が溜水が不足して洗浄性能が低下した状態で行われることを防ぐことができる洗落し式水洗便器を提供することを目的としている。
【課題を解決するための手段】
【０００８】
上記の目的を達成するために、本発明は、少なくとも大洗浄水量と小洗浄水量の洗浄水を切り替えて供給することにより汚物を洗い落す洗落し式水洗便器であって、洗浄水を貯留するタンク、このタンク内へ洗浄水を給水する給水弁、及び、このタンクの底面に形成された排水口を開閉する排水弁を備えた洗浄水タンクと、ボウル形状のボウル部と、このボウル部の下方にその入口が接続され汚物を排出する排水トラップ管路と、この排水トラップ管路の近傍で且つ上記ボウル部下方に形成された溜水部と、上記ボウル部に上記洗浄水タンクからの洗浄水を吐水する吐水部と、上記吐水部からの洗浄水の吐水量を制御する制御手段と、を有し、上記制御手段は、上記洗浄水タンクからの大洗浄水量の洗浄水による便器洗浄が行われた後、上記洗浄水タンク内の洗浄水量のすべてが排出される前に上記洗浄水タンクの上記排水弁を閉じ、所定時間経過させた後に再び上記排水弁を開き、上記溜水部の溜水量がほぼ一定に保持されるように上記吐水部から上記溜水部へ洗浄水を追加し、便器洗浄のための洗浄水を上記洗浄水タンクから水洗便器に排出する時間を、上記溜水部の溜水量をほぼ一定に保持するための洗浄水を上記洗浄水タンクから水洗便器に排出する時間よりも長くすることを特徴としている。
このように構成された本発明においては、万一、洗浄水タンクからの大洗浄水量の洗浄水による便器洗浄中に溜水部や排水トラップ管路においてサイホン作用が生じ、溜水部の溜水不足が生じてしまったとしても、制御手段が、洗浄水タンクからの大洗浄水量の洗浄水による便器洗浄が行われた後、溜水部の溜水量がほぼ一定に保持されるように吐水部から溜水部へ洗浄水を追加することができるため、溜水部の溜水が不足して洗浄性能が低下した状態で次回の便器洗浄が行われることを防ぐことができる。また、制御手段が、洗浄水タンクからの大洗浄水量の洗浄水による便器洗浄が行われた後、さらに所定時間経過させた後に溜水部の溜水量がほぼ一定に保持されるように吐水部から溜水部へ洗浄水を追加することができるため、この追加した洗浄水が、洗浄水を追加する前に大洗浄水量の便器洗浄の洗浄水の勢いによって汚物と共に排出されてしまうことを防ぐことができる。この結果、洗浄水タンクからの大洗浄水量の洗浄水による便器洗浄が行われた後、さらに所定時間経過させた後に吐水部から溜水部への洗浄水の追加供給を安定して行うことができるため、便器洗浄後に便器洗浄の洗浄水の勢いによって汚物と共に排出されてしまう無駄水を抑制することができ、万一、洗浄水タンクからの所定の大洗浄水量の洗浄水による便器洗浄中に溜水部や排水トラップ管路においてサイホン作用が生じても、吐水部から溜水部へのより少ない追加洗浄水量によって、溜水部の溜水不足を防ぐことができる。さらに、制御手段が、洗浄水タンクからの大洗浄水量の洗浄水による便器洗浄が行われた後、洗浄水タンク内の洗浄水量のすべてが排出される前に洗浄水タンクの排水弁を閉じ、所定時間経過させた後に再び排水弁を開き、溜水部の溜水量がほぼ一定に保持されるように吐水部から溜水部へ洗浄水を追加することができる。したがって、排水弁の開閉の動作やタイミングを単純に制御するだけで、溜水部へ洗浄水を追加する他の手段を設ける必要がないため、洗浄水タンクからの大洗浄水量の洗浄水による便器洗浄中に溜水部や排水トラップ管路においてサイホン作用が生じても、簡易な構成によって、溜水部の溜水不足を防ぐことができる。また、便器洗浄のための洗浄水を洗浄水タンクから水洗便器に排出する時間を、溜水部の溜水量をほぼ一定に保持するための洗浄水を洗浄水タンクから水洗便器に排出する時間よりも長くすることにより、時間管理による安定した一定量の洗浄水を溜水部へ追加することができるため、溜水部へ通過する無駄水を抑制することができる。
【０００９】
また、本発明は、少なくとも大洗浄水量と小洗浄水量の洗浄水を切り替えて供給することにより汚物を洗い落す洗落し式水洗便器であって、洗浄水を貯留するタンク、このタンク内へ洗浄水を給水する給水弁、及び、このタンクの底面に形成された排水口を開閉する排水弁を備えた洗浄水タンクと、ボウル形状のボウル部と、このボウル部の下方にその入口が接続され汚物を排出する排水トラップ管路と、この排水トラップ管路の近傍で且つ上記ボウル部下方に形成された溜水部と、上記ボウル部に上記洗浄水タンクからの洗浄水を吐水する吐水部と、上記吐水部からの洗浄水の吐水量を制御する制御手段と、を有し、上記制御手段は、上記洗浄水タンクからの大洗浄水量の洗浄水による便器洗浄が行われて上記洗浄水タンク内の洗浄水量のすべてが排出された後、上記洗浄水タンクの排水弁を開いた状態で上記洗浄水タンクの給水弁を開き、上記溜水部の溜水量がほぼ一定に保持されるように上記吐水部から上記溜水部へ洗浄水を追加し、上記溜水部の溜水不足を補う洗浄水の追加給水を行う時間を、上記洗浄水タンク内の洗浄水量のすべてが便器洗浄のために排出されるまでの時間よりも長くすることを特徴としている。
このように構成された本発明においては、万一、洗浄水タンクからの大洗浄水量の洗浄水による便器洗浄中に溜水部や排水トラップ管路においてサイホン作用が生じ、溜水部の溜水不足が生じてしまったとしても、制御手段が、洗浄水タンクからの大洗浄水量の洗浄水による便器洗浄が行われた後、溜水部の溜水量がほぼ一定に保持されるように吐水部から溜水部へ洗浄水を追加することができるため、溜水部の溜水が不足して洗浄性能が低下した状態で次回の便器洗浄が行われることを防ぐことができる。また、制御手段が、洗浄水タンクからの大洗浄水量の洗浄水による便器洗浄が行われた後、さらに所定時間経過させた後に溜水部の溜水量がほぼ一定に保持されるように吐水部から溜水部へ洗浄水を追加することができるため、この追加した洗浄水が、洗浄水を追加する前に大洗浄水量の便器洗浄の洗浄水の勢いによって汚物と共に排出されてしまうことを防ぐことができる。この結果、洗浄水タンクからの大洗浄水量の洗浄水による便器洗浄が行われた後、さらに所定時間経過させた後に吐水部から溜水部への洗浄水の追加供給を安定して行うことができるため、便器洗浄後に便器洗浄の洗浄水の勢いによって汚物と共に排出されてしまう無駄水を抑制することができ、万一、洗浄水タンクからの所定の大洗浄水量の洗浄水による便器洗浄中に溜水部や排水トラップ管路においてサイホン作用が生じても、吐水部から溜水部へのより少ない追加洗浄水量によって、溜水部の溜水不足を防ぐことができる。さらに、制御手段が、洗浄水タンクからの大洗浄水量の洗浄水による便器洗浄が行われて洗浄水タンク内の洗浄水量のすべてが排出された後、洗浄水タンクの排水弁を開いた状態で洗浄水タンクの給水弁を開き、溜水部の溜水量がほぼ一定に保持されるように吐水部から溜水部へ洗浄水を追加することができる。したがって、洗浄水タンクからの大洗浄水量の洗浄水による便器洗浄が行われて洗浄水タンク内の洗浄水量のすべてが排出された後に洗浄水タンクの排水弁を開いた状態で給水弁から溜水部へ供給された洗浄水のすべてについて、溜水部の溜水不足を防ぐ追加洗浄水として利用することができる。この結果、洗浄水タンクから洗浄水導水路を経て溜水部への洗浄水の追加供給を安定して行うことができ、万一、洗浄水タンクからの大洗浄水量の洗浄水による便器洗浄中に溜水部や排水トラップ管路においてサイホン作用が生じても、溜水部の溜水不足を確実に防ぐことができる。
【発明の効果】
【００１２】
本発明の洗落し式水洗便器によれば、所定の大洗浄水量の洗浄水による便器洗浄が行われた後に便器の溜水へ洗浄水を追加することにより、次回の便器洗浄が溜水が不足して洗浄性能が低下した状態で行われることを防ぐことができる。
【図面の簡単な説明】
【００１３】
【図１】本発明の第１実施形態による洗落し式水洗便器の概略断面図である。
【図２】本発明の第１実施形態による洗落し式水洗便器の洗浄水タンクの内部構造を概略的に示すブロック図である。
【図３】本発明の第１実施形態による洗落し式水洗便器の動作を示すタイムチャートである。
【図４】（ｉ）〜（iv）は本発明の第１実施形態による洗落し式水洗便器の動作を示す概略図である。
【図５】本発明の第２実施形態による洗落し式水洗便器の動作を示すタイムチャートである。
【図６】（ｉ）〜（iv）は本発明の第２実施形態による洗落し式水洗便器の動作を示す概略図である。
【発明を実施するための形態】
【００１４】
以下、添付図面により、本発明の第１実施形態による排水装置を説明する。
まず、図１により、本発明の第１実施形態による洗落し式水洗便器の一例を説明する。
図１は本実施形態による洗落し式水洗便器の概略断面図である。
図１に示すように、符号１は洗落し式水洗便器を示し、この洗落し式水洗便器１の上部の前方側には、ボウル部２が形成され、後方側の上部には導水路４が、導水路４の下方にはボウル部２と連通する排水トラップ管路６が、それぞれ形成されている。
【００１５】
水洗便器１のボウル部２の上縁部にはオーバーハング形状のリム８が形成され、このリム８に導水路４から洗浄水が供給される１つ又は２つの吐水口１０ａが形成され、洗浄水が旋回しながら下降してボウル部２を洗浄できるようになっている。また、ボウル部２の中心下部には、導水路４から洗浄水が供給される吐水口１０ｂが形成され、この吐水口１０ｂから洗浄水が溜水に上下方向の旋回流を生じさせるようになっている。
また、排水トラップ管路６の近傍で且つボウル部２の下方には溜水により溜水部１１が形成されている。なお、図１においては、溜水部１１の溜水面Ｗ０を一点鎖線で示している。この溜水部１１の下方には、上述した排水トラップ管路６の入口６ａが開口し、この入口６ａから上昇路６ｂが後方に延びている。この上昇路６ｂには下降路６ｃが連続し、下降路６ｃの下端は排水ソケット（図示せず）を介して床下の排出管（図示せず）に接続されている。
【００１６】
水洗便器１の導水路４の上方には、外部の給水源（図示せず）に接続されて水洗便器１に供給する洗浄水を貯留する洗浄水タンク１２が設けられている。この洗浄水タンク１２の底部１２ａには、水洗便器１の導水路４と連通し洗浄水タンク１２内の洗浄水が排水される排水口１２ｂが形成されている。この洗浄水タンク１２の内部には、以下に説明する種々の機器が設けられている。
【００１７】
つぎに、図２により、洗浄水タンク１２に設けられた種々の機器について説明する。
図２は本発明の第１実施形態による洗落し式水洗便器の洗浄水タンクの内部構造を概略的に示すブロック図である。
なお、図２においては、洗浄水タンク１２内の満水時の水位（最高水位）をＷＬ１で示し、洗浄水タンク１２内の排水時の最低水位をＷＬ２で示している。
【００１８】
図２に示すように、洗浄水タンク１２内には、排水装置１４、給水装置１６、制御装置１８、水位センサ２０が設けられている。
まず、給水装置１６は、給水管２２、給水バルブ２４、及び、給水口２６を備えている。
給水管２２は、第１の給水管２２ａと第２の給水管２２ｂを備えており、第１の給水管２２ａの上流側端部は、給水バルブ２４に接続され、第１の給水管２２ａの下流側端部は、定流量弁（図示せず）等を経て外部の水道等の給水源（図示せず）に接続されている。
また、第２の給水管２２ｂの上流側端部は、洗浄水タンク１２内に向けて差し向けられた給水口２６に接続され、第２の給水管２２ｂの下流側端部は、給水バルブ２４に接続されている。
【００１９】
給水バルブ２４は、電磁バルブからなり、洗浄水タンク１２内の水位を検知するフロートスイッチからなる水位センサ２０の水位検知情報に基づいて制御装置１８からの指令により給水バルブ２４の開閉動作が制御され、給水装置１６の給水口２６から洗浄水タンク１２内への洗浄水の給水又は止水が切り替えられるようになっている。
【００２０】
つぎに、排水装置１４は、オーバーフロー管２８及び排水バルブ３０を備えている。
オーバーフロー管２８は、洗浄水タンク１２の排水口１２ｂと対向する下端部の下端開口部２８ａから上方に位置する上端開口部２８ｂにかけてほぼ円筒状に延びている管部材である。そして、洗浄水タンク１２内の洗浄水の水位が満水時の水位ＷＬ１を超えてさらに水位ＷOFまで上昇し、オーバーフロー管２８の上端開口部２８ｂの高さ位置を上回ってオーバーフローした際には、このオーバーフローした洗浄水がオーバーフロー管２８の上端開口部２８ｂから下端開口部２８ａを経て洗浄水タンク１２の排水口１２ｂから水洗便器１側に排水されるようになっている。
【００２１】
さらに、オーバーフロー管２８は、上端開口部２８ｂから上方に突出する操作レバー取付部２８ｃを備え、オーバーフロー管２８を上下動させるための制御装置１８の一部であるフック状の操作レバー１８ａがオーバーフロー管２８の操作レバー取付部２８ｃに取り付けられている。
【００２２】
ここで、制御装置１８は、操作レバー１８ａ、回転軸１８ｂ、及び、回転駆動装置１８ｃを備えており、回転駆動装置１８ｃは、回転軸１８ｂを回転させるためのモータ等の駆動装置であり、洗浄水タンク１２の上方外側に配置されている。
また、回転軸１８ｂは、その基端部が回転駆動装置１８ｃに保持され、この基端部から洗浄水タンク１２内の先端部にかけてほぼ水平に延びている。
さらに、回転軸１８ｂの先端部には操作レバー１８ａが固定されており、回転駆動装置１８ｃの駆動により所定の回転角度の範囲内で回転軸１８ｂと操作レバー１８ａが一体に回転し、また、操作レバー１８ａの回転方向に応じてオーバーフロー管２８が上昇又は下降するようになっている。
【００２３】
また、本実施形態の排水装置１４においては、回転駆動装置１８ｃの作動が開始することにより、排水装置１４が作動して排水口１２ｂを開放し、洗浄水タンク１２内の洗浄水が排水口１２ｂから水洗便器１に排水されるようになっている。この排水装置１４による洗浄水タンク１２から水洗便器１への洗浄水の排水動作の開始については、水洗便器１に設けられている便器使用者を検知する人体検知センサ（図示せず）からの信号、或いは、水洗便器１の洗浄操作を指令する操作ボタン（図示せず）を便器使用者が操作した信号が制御装置１８に送られて回転駆動装置１８ｃの作動が開始することにより行わるようになっている。
【００２４】
また、排水装置１４の排水バルブ３０は、オーバーフロー管２８の下端部の外周に沿って固着された円環状のシール部材であり、オーバーフロー管２８が洗浄水タンク１２内で最低位置まで下降した際、オーバーフロー管２８の下端部と共に洗浄水タンク１２の排水口１２ｂを密閉する排水弁として機能することができるようになっている。
さらに、排水バルブ３０は、オーバーフロー管２８の下端部に固定されているため、操作レバー１８ａの回転方向に応じてオーバーフロー管２８と一体的に上昇又は下降するようになっている。
【００２５】
また、制御装置１８は、洗浄水タンク１２内の水位を検知するフロートスイッチからなる水位センサ２０の水位検知情報に基づいて、給水バルブ２４の開閉動作を制御するようになっている。
さらに、制御装置１８は、水洗便器１に設けられている便器使用者を検知する人体検知センサ（図示せず）からの信号、或いは、洗浄水タンク１２から少なくとも所定の大小の２種類の洗浄水量の洗浄水による洗浄モード（例えば、大洗浄モード、又は、小洗浄モード）のいずれかに切り替えて水洗便器１の洗浄操作を指令する洗浄操作ボタン（図示せず）を便器使用者が操作した信号に基づいて回転駆動装置１８ｃの駆動を制御することにより回転軸１８ｂと操作レバー１８ａの回転を制御すると共に、オーバーフロー管２８と排水バルブ３０の上下方向の位置や排水バルブ３０が上昇して洗浄水タンク１２の排水口１２ｂを開放している開弁時間を制御することにより、洗浄水タンク１２の排水口１２ｂから水洗便器１側に排水される洗浄水量を制御するようになっている。
なお、本実施形態では、所定の大小２種類の洗浄水量の洗浄水による洗浄モードを備えた制御装置にて説明しているが、大小２種類の洗浄水量の他にさらに洗浄水の少ない小洗浄を追加して３種類の洗浄モードを備えても、さらに複数の洗浄モードを備えても良い。
【００２６】
つぎに、図２〜図４を参照し、本発明の第１実施形態による洗落し式水洗便器の動作（作用）を説明する。
ここで、図３は本実施形態による洗落し式水洗便器の動作を示すタイムチャートであり、図４の（ｉ）〜（iv）は本発明の第１実施形態による洗落し式水洗便器の動作を示す概略図である。なお、図３において、横軸は時間を示し、縦軸は上から洗浄操作ボタン、排水バルブ、給水バルブ、及び、フロートスイッチの動作をそれぞれ示している。
【００２７】
図２〜図４に示すように、便器使用者が洗落し式水洗便器１を使用後、図３の時刻ｔ１において洗浄水タンク１２から水洗便器１への洗浄水の排水装置１４による排水動作を開始する際、水洗便器１に設けられている便器使用者を検知した人体検知センサ（図示せず）からの信号が制御装置１８に送られるか、或いは、便器使用者が洗浄操作ボタン（図示せず）を操作し、洗浄水タンク１２から少なくとも所定の大小の２種類の洗浄水量の洗浄水による洗浄モード（例えば、大洗浄モード、又は、小洗浄モード）のいずれかに切り替え、例えば、便器使用者が大洗浄モードによる操作を指令すると、この信号が制御装置１８に送られ、時刻ｔ２において回転駆動装置１８ｃの作動が開始する。
また、特に、図３の時刻ｔ１〜ｔ２までの間では、図４（ｉ）に示すように、給水バルブ２４及び排水バルブ３０が共に閉弁し、洗浄水タンク１２内の水位はＷＬ１（満水）となっている。
【００２８】
そして、図３の時刻ｔ２において、回転駆動装置１８ｃが作動すると、回転軸１８ｂと共に操作レバー１８ａが所定方向に回転し、この操作レバー１８ａに取り付けられているオーバーフロー管２８の操作レバー取付部２８ｃが引き上げられ、オーバーフロー管２８と排水バルブ３０が上昇し、洗浄水タンク１２の排水口１２ｂを開放する（図４の（ii）参照）。
【００２９】
排水バルブ３０が洗浄水タンク１２の排水口１２ｂを開放している図３の時刻ｔ２から時刻ｔ３までの間、洗浄水タンク１２の排水口１２ｂから洗浄水が水洗便器１の導水路４に排水され、この導水路４内の洗浄水が洗落し式水洗便器１の各吐水口１０ａ，１０ｂから溜水部１１内に吐水され、洗落し式水洗便器１の大洗浄モードによる洗浄が行われる。そして、溜水部１１内の汚物は、導水路４から溜水部１１への洗浄水の落差による流水作用により、排水トラップ管路６の入口６ａから上昇路６ｂ及び下降路６ｃに押し流され、最終的には、排水ソケット（図示せず）を介して床下の排出管（図示せず）から排出される。
【００３０】
図３の時刻ｔ２で排水装置１４の排水が開始されてから時刻ｔ３にかけて、洗浄水タンク１２内の水位が満水時の水位ＷＬ１から次第に減少すると、排水装置１４のオーバーフロー管２８と排水バルブ３０下降する。
そして、時刻ｔ３において、洗浄水タンク１２内の洗浄水の水位が、ほぼ空の状態の水位ＷＬ２よりも所定距離上方の所定水位ＷＬ３に達すると、制御装置１８が回転駆動装置１８ｃの作動が停止し、排水バルブ３０が洗浄水タンク１２の排水口１２ｂを一旦閉鎖する（図４の（iii）参照）。
また、洗浄水タンク１２の排水口１２ｂが閉鎖されている時刻ｔ３においては、図４の（iii）に示すように、洗浄水タンク１２内には、所定水位ＷＬ３に相当する所定量の洗浄水が残存しており、洗浄開始前の洗浄水タンク１２内の水位ＷＬ１に相当する洗浄水量のすべてが、洗浄水タンク１２の排水口１２ｂから排水されているわけではない。
【００３１】
つぎに、図３の時刻ｔ３から所定時間経過した時刻ｔ４に達すると、再び、回転駆動装置１８ｃが作動し、オーバーフロー管２８と排水バルブ３０が上昇し、洗浄水タンク１２の排水口１２ｂを再び開放する（図４の（iv）参照）。
そして、図３の時刻ｔ４から所定時間経過した時刻ｔ５では、時刻ｔ３において洗浄水タンク１２内に残存している所定水位ＷＬ３に相当する所定量の洗浄水のすべてが洗浄水タンク１２の排水口１２ｂから完全に排水されて、洗浄水タンク１２内の洗浄水の水位がほぼ空の状態の水位ＷＬ２になる。このとき、水洗便器１の溜水部１１は、溜水面Ｗ０に相当するほぼ一定の溜水量となっており、次回の大洗浄モードによる便器洗浄が可能な状態となっている。
また、図３の時刻ｔ４から時刻ｔ５までの間においては、図３の時刻ｔ２から時刻ｔ３までの間に比べて短時間であり、この時刻ｔ４から時刻ｔ５の間に洗浄水タンク１２の排水口１２ｂから洗浄水が洗落し式水洗便器１の導水路４に排水される洗浄水量も時刻ｔ２から時刻ｔ３の間に比べると少ない。しかしながら、図３の時刻ｔ２から時刻ｔ３までの間の大洗浄モードによる洗浄中に、洗落し式水洗便器１の溜水部１１で意に反してサイホン作用が生じ、このサイホン作用により、溜水部１１の溜水の一部が排水トラップ管路６から排出されてしまっても、次回の大洗浄モードによる便器洗浄を十分に行うことができるように、図３の時刻ｔ４から時刻ｔ５までの間に洗落し式水洗便器１の溜水部１１の溜水の不足を補うには十分な洗浄水量が追加される。
【００３２】
また、図３の時刻ｔ５では、制御装置１８が回転駆動装置１８ｃの作動が再び停止し、排水バルブ３０が洗浄水タンク１２の排水口１２ｂを再び閉鎖すると同時に、給水バルブ２４を開弁させる。そして、給水装置１６の給水口２６から洗浄水タンク１２内への洗浄水の給水が行われ、再び洗浄水タンク１２内の水位が次第に上昇する。
【００３３】
つぎに、図３の時刻ｔ６において、フロートスイッチである水位センサ２０が、洗浄水タンク１２内の水位が満水時の水位ＷＬ１に達していることを検知し、フロートスイッチがオンすると、この検知信号が水位センサ２０から制御装置１８に送られ、図３の時刻ｔ７において、給水バルブ２４が閉弁し、給水装置１６の給水口２６から洗浄水タンク１２内への洗浄水の給水が停止される。
【００３４】
上述した本発明の第１実施形態による洗落し式水洗便器１によれば、制御装置１８が、図３の時刻ｔ２から時刻ｔ３までの間において洗浄水タンク１２から大洗浄モードの所定の大洗浄水量の洗浄水による便器洗浄が行われた後、時刻ｔ３で一旦排水バルブ３０を閉弁して、時刻ｔ３から時刻ｔ４までの所定時間経過後、溜水部１１の溜水量がほぼ一定に保持されるように、時刻ｔ４から時刻ｔ５までの間において洗浄水タンク１２から洗落し式水洗便器１の導水路４を経て溜水部１１へ洗浄水を追加することができる。この結果、時刻ｔ４から時刻ｔ５までの間において溜水部１１に追加した洗浄水が、洗浄水を追加する前（時刻ｔ２から時刻ｔ３までの間）に大洗浄モードの所定の大洗浄水量の便器洗浄の洗浄水の勢いによって汚物と共に排出されてしまうことを防ぐことができる。また、洗浄水タンク１２からの大洗浄モードの所定の大洗浄水量の洗浄水による便器洗浄が行われた後、溜水部１１の溜水量がほぼ一定に保持されるように時刻ｔ３から時刻ｔ４までの所定の時間間隔を空けて洗浄水タンク１２から導水路４を経て溜水部１１への洗浄水の追加供給を安定して行うことができるため、便器洗浄後に溜水部１１へ追加する無駄水を抑制することができ、万一、洗浄水タンク１２からの大洗浄モードの所定の大洗浄水量の洗浄水による便器洗浄中に溜水部１１や排水トラップ管路６においてサイホン作用が生じたとしても、時刻ｔ４から時刻ｔ５までの間において、より少ない追加洗浄水量によって、溜水部１１の溜水不足を防ぐことができる。
【００３５】
また、本実施形態による洗落し式水洗便器１によれば、制御装置１８が、図３の時刻ｔ２から時刻ｔ３までの間において洗浄水タンク１２から大洗浄モードの所定の大洗浄水量の洗浄水による便器洗浄が行われた後、洗浄水タンク１２内の洗浄水量のすべてが排出される前（洗浄水タンク１２内の水位がＷＬ２に達する前）の時刻ｔ３において、洗浄水タンク１２の排水装置１４の排水バルブ３０を閉じ、時刻ｔ４まで所定の時間間隔を空けて再び排水バルブ３０を開き、洗浄水タンク１２の排水口１２ｂから洗落し式水洗便器１の導水路４を経て溜水部１１へ洗浄水を追加するように制御することができる。したがって、制御装置１８が、排水装置１４の排水バルブ３０の開閉の動作やタイミングを単純に制御するだけで、溜水部１１へ洗浄水を追加する他の手段を設ける必要がないため、時刻ｔ２から時刻ｔ３までの間において洗浄水タンク１２から大洗浄モードの所定の大洗浄水量の洗浄水による便器洗浄中に溜水部１１や排水トラップ管路６においてサイホン作用が生じたとしても、簡易な構成によって溜水部１１の溜水に洗浄水を追加することができ、溜水部１１の溜水不足を防ぐことができる。
【００３６】
つぎに、図５及び図６を参照して、本発明の第２実施形態による洗落し式水洗便器を説明する。
ここで、図５は本発明の第２実施形態による洗落し式水洗便器の動作を示すタイムチャートであり、図６の（ｉ）〜（iv）は本発明の第２実施形態による洗落し式水洗便器の動作を示す概略図である。なお、図５及び図６において、上述した本発明の第１実施形態による洗落し式水洗便器の部分と同一の部分については同一の符号を付し、それらの説明は省略する。
【００３７】
図５及び図６に示すように、本実施形態の洗落し式水洗便器においては、制御装置１８が制御する排水装置１４の排水バルブ３０と給水装置１６の給水バルブ２４の各々の開閉の動作及びタイミングが上述した第１実施形態による洗落し式水洗便器のものと異なっている。
より具体的には、図５及び図６に示すように、便器使用者が本実施形態による洗落し式水洗便器を使用後、図５の時刻ｔ１１において洗浄水タンク１２から水洗便器への洗浄水の排水装置１４による排水動作を開始する際、便器使用者を検知した人体検知センサ（図示せず）からの信号が制御装置１８に送られるか、或いは、便器使用者が洗浄操作ボタン（図示せず）を操作し、便器使用者が大洗浄モードによる操作を指令すると、この信号が制御装置１８に送られ、時刻ｔ１２において回転駆動装置１８ｃの作動が開始する。
また、特に、図５の時刻ｔ１１〜ｔ１２までの間では、図６（ｉ）に示すように、給水バルブ２４及び排水バルブ３０が共に閉弁し、洗浄水タンク１２内の水位はＷＬ１（満水）となっている。
【００３８】
そして、図５の時刻ｔ１２において、回転駆動装置１８ｃが作動すると、回転軸１８ｂと共に操作レバー１８ａが所定方向に回転し、この操作レバー１８ａに取り付けられているオーバーフロー管２８の操作レバー取付部２８ｃが引き上げられ、オーバーフロー管２８と排水バルブ３０が上昇し、洗浄水タンク１２の排水口１２ｂを開放する（図６の（ii）参照）。
【００３９】
排水バルブ３０が洗浄水タンク１２の排水口１２ｂを開放している図５の時刻ｔ１２から時刻ｔ１３までの間、洗浄水タンク１２の排水口１２ｂから洗浄水が水洗便器１の導水路４に排水され、この導水路４内の洗浄水が洗落し式水洗便器１の各吐水口１０ａ，１０ｂから溜水部１１内に吐水され、洗落し式水洗便器の大洗浄モードによる洗浄が行われる。そして、溜水部１１内の汚物は、導水路４から溜水部１１への洗浄水の落差による流水作用により、排水トラップ管路６の入口６ａから上昇路６ｂ及び下降路６ｃに押し流され、最終的には、排水ソケット（図示せず）を介して床下の排出管（図示せず）から排出される。
また、図５の時刻ｔ１２から時刻ｔ１３までの間、洗浄水タンク１２内の洗浄水のすべてが洗浄水タンク１２の排水口１２ｂから完全に排水されて、洗浄水タンク１２内の洗浄水の水位がほぼ空の状態の水位ＷＬ２になる（図６の（ii）参照）。
【００４０】
つぎに、時刻ｔ１３において、制御装置１８が給水バルブ２４を開弁させ、そして、時刻ｔ１４において、制御装置１８が排水バルブ３０を閉弁させる。
また、図５の時刻ｔ１３から時刻ｔ１４までの間においては、給水バルブ２４と排水バルブ３０が共に開弁した状態となっており、給水装置１６の給水口２６から洗浄水タンク１２内への洗浄水の給水が行われると同時に、この洗浄水タンク１２内に給水された洗浄水が洗浄水タンク１２内に貯水されることなく、そのまま洗浄水タンク１２の排水口１２ｂから洗浄水が水洗便器の導水路４に排水され、この導水路４内の洗浄水が洗落し式水洗便器１の各吐水口１０ａ，１０ｂから溜水部１１内の溜水に吐水される（図６の（iii）参照）。
【００４１】
また、図５の時刻ｔ１３から時刻ｔ１４までの間においては、図５の時刻ｔ１２から時刻ｔ１３までの間に比べて長時間となっており、給水装置１６の給水口２６から洗浄水タンク１２へ少量ずつ時間をかけて給水された洗浄水が洗浄水タンク１２の排水口１２ｂを経て水洗便器の導水路４へ供給されるようになっている。
ここで、図５の時刻ｔ１２から時刻ｔ１３までの間の大洗浄モードによる洗浄中に、洗落し式水洗便器の溜水部１１で意に反してサイホン作用が生じ、このサイホン作用により、溜水部１１の溜水の一部が排水トラップ管路６から排出されてしまっても、次回の大洗浄モードによる便器洗浄を十分に行うことができるように、図５の時刻ｔ１３から時刻ｔ１４までの間に洗落し式水洗便器の溜水部１１の溜水の不足を補うには十分な洗浄水量が給水装置１６の給水口２６から洗浄水タンク１２の排水口１２ｂを経て水洗便器の導水路４へ供給され、この導水路４内の洗浄水が洗落し式水洗便器１の各吐水口１０ａ，１０ｂから溜水部１１内の溜水に追加される。そして、水洗便器の溜水部１１は、溜水面Ｗ０に相当するほぼ一定の溜水量となっており、次回の大洗浄モードによる便器洗浄が可能な状態となる。
【００４２】
つぎに、図５の時刻ｔ１４において、排水装置１４の排水バルブ３０が洗浄水タンク１２の排水口１２ｂを閉鎖すると、洗浄水タンク１２内の水位が次第に上昇する（図６の（iv）参照）。
そして、図５の時刻ｔ１５において、フロートスイッチである水位センサ２０が、洗浄水タンク１２内の水位が満水時の水位ＷＬ１に達していることを検知し、フロートスイッチがオンすると、この検知信号が水位センサ２０から制御装置１８に送られ、図３の時刻ｔ１６において、給水バルブ２４が閉弁し、給水装置１６の給水口２６から洗浄水タンク１２内への洗浄水の給水が停止される。
【００４３】
上述した本発明の第２実施形態による洗落し式水洗便器によれば、制御装置１８が、図５の時刻ｔ１２から時刻ｔ１３までの間、洗浄水タンク１２内の洗浄水のすべてが洗浄水タンク１２の排水口１２ｂから完全に排水されて、洗浄水タンク１２内の洗浄水の水位がほぼ空の状態の水位ＷＬ２になって洗落し式水洗便器の大洗浄モードによる洗浄が行われ、溜水部１１の溜水量がほぼ一定に保持されるように、時刻ｔ１３において洗浄水タンク１２内の洗浄水量のすべてが排出されると共に、排水装置１４の排水バルブ３０を開弁して洗浄水タンク１２の排水口１２ｂを開放させた状態で給水装置１６の給水バルブ２４を開弁し、洗浄水タンク１２の排水口１２ｂから洗落し式水洗便器の導水路４を経て溜水部１１へ洗浄水を追加するように制御することができる。したがって、時刻ｔ１３から時刻ｔ１４までの間において洗浄水タンク１２内の洗浄水量のすべてが排出された後に給水装置１６の給水バルブ２４を開いた状態で、給水装置１６の給水口２６から洗浄水タンク１２の排水口１２ｂを経て洗落し式水洗便器の導水路溜水部１１へ供給された洗浄水のすべてについて、溜水部１１の溜水不足を防ぐ追加洗浄水として利用することができる。この結果、洗浄水タンク１２から洗落し式水洗便器の導水路４を経て溜水部１１への洗浄水の追加供給を安定して行うことができ、万一、洗浄水タンク１２からの所定の大洗浄水量の洗浄水による便器洗浄中に洗落し式水洗便器の溜水部１１や排水トラップ管路６においてサイホン作用が生じても、溜水部１１の溜水不足を確実に防ぐことができる。
【００４４】
なお、上述した本発明の第２実施形態による洗落し式水洗便器においては、時刻ｔ１３において給水バルブ２４を開弁し、時刻ｔ１３から時刻ｔ１４までの間の区間において洗落し式水洗便器の溜水部１１の溜水の不足を補う洗浄水の追加給水を行った後、時刻ｔ１４の前に給水バルブ２４を一旦閉弁し、その後の時刻ｔ１４で排水バルブ３０を閉弁し、時刻ｔ１４から時刻ｔ１５までの間の区間において、再び給水バルブ２４を開弁して洗浄水タンク１２内への貯水を行ってもよい。
【００４５】
また、上述した本発明の第１及び第２実施形態の洗落し式水洗便器においては、洗浄水給水手段の一例として洗浄水タンク１２から少なくとも所定の大小の２種類の洗浄水量の洗浄水を切り替えて供給することによりボウル２内の汚物を洗い落すことができるような形態について説明したが、このような形態に限定されず、洗浄水給水手段として洗浄水タンクを用いる代わりに、外部の給水源と洗落し式水洗便器１を直接的に接続し、洗落し式水洗便器１に給水する洗浄水量を調整するようにしてもよい。
【符号の説明】
【００４６】
１    洗落し式水洗便器
２    ボウル部
４    導水路
６    排水トラップ管路
６ａ  排水トラップ管路の入口
６ｂ  排水トラップ管路の上昇路
６ｃ  排水トラップ管路の下降路
８    リム
１０ａ，１０ｂ  吐水口
１１    溜水部
１２    洗浄水タンク
１２ａ  洗浄水タンクの底部
１２ｂ  排水口
１４    排水装置
１６    給水装置
１８    制御装置
１８ａ  操作レバー
１８ｂ  回転軸
１８ｃ  回転駆動装置
２０    水位センサ
２２    給水管
２４    給水バルブ
２６    給水口
２８    オーバーフロー管
２８ａ  オーバーフロー管の下端開口部
２８ｂ  オーバーフロー管の上端開口部
２８ｃ  オーバーフロー管の操作レバー取付部
３０    排水バルブ
【図１】
0005590499.tif 000002
【図２】
0005590499.tif 000003
【図３】
0005590499.tif 000004
【図４】
0005590499.tif 000005
【図５】
0005590499.tif 000006
【図６】
0005590499.tif 000007